(57)【特許請求の範囲】
【請求項１】
成形品を固定型および可動型によって成形する成形用金型装置において、成形品の型抜き時に該成形品の突出したアンダーカット部を取外し可能な状態とするアンダーカット処理機構において、
前記アンダーカット部の下面側と上面側とに対応して、前記アンダーカット部の下面側を成形する第１分割コアと、前記アンダーカット部の上面側を成形する第２分割コアとが、互いに上下に重なる状態に配されて成るアンダーカット成形コアと、
前記アンダーカット成形コアの上下の分割コアに対応して、前記第１分割コアを支持する第１スライド部材と、前記第１分割コアより後方に延出する前記第２分割コアを支持する第２スライド部材とが、互いに前後に並ぶ状態に配されて成るスライド部材と、
前記固定型または前記可動型に対して一体に設けられ、前記各スライド部材により支持された前記各分割コアが、それぞれ同一の型抜き方向に移動すると共に、該型抜き方向にそれぞれ異なる角度で交差する前記アンダーカット部からの別々の逃げ方向に移動するように、前記各スライド部材を摺動可能に収納するホルダーとを有し、
前記ホルダーに、前記第１スライド部材を、前記第１分割コアが前記型抜き方向および前記逃げ方向にそれぞれ同時に移動する第１傾斜方向に沿って案内する第１ガイド手段を設けると共に、前記第２スライド部材を、前記第２分割コアが前記型抜き方向および前記逃げ方向にそれぞれ同時に移動する第２傾斜方向に沿って案内する第２ガイド手段を設けたことを特徴とするアンダーカット処理機構。
【請求項２】
前記各スライド部材の摺動に伴って、前記各分割コアが成形位置から離型位置に移動した際、前記各分割コアが、前記アンダーカット部を間にして互いに上下方向に離隔するように前記逃げ方向を設定したことを特徴とする請求項１に記載のアンダーカット処理機構。
【請求項３】
前記各スライド部材に対応して、型抜き方向に駆動されて突き出し動作するエジェクタピンを有し、
前記ホルダーは、前記エジェクタピンの先端部が移動可能に案内される状態で前記可動型に一体に設けられ、
前記各スライド部材は、それぞれの基端部が前記エジェクタピンの先端部に対して前記逃げ方向に摺動可能に連結され、
前記ホルダーの内壁および前記第１スライド部材の外壁の何れか一方に、該第１スライド部材が移動する前記第１傾斜方向に延びる第１斜溝を設け、何れか他方に、同じく前記第１傾斜方向に延びて前記第１斜溝に摺動可能に嵌合する第１斜条を設け、前記ホルダー内にある第１斜溝または第１斜条を前記第１ガイド手段とし、
前記ホルダーの内壁および前記第２スライド部材の外壁の何れか一方に、該第２スライド部材が移動する前記第２傾斜方向に延びる第２斜溝を設け、何れか他方に、同じく前記第２傾斜方向に延びて前記第２斜溝に摺動可能に嵌合する第２斜条を設け、前記ホルダー内にある第２斜溝または第２斜条を前記第２ガイド手段としたことを特徴とする請求項１または２に記載のアンダーカット処理機構。
【請求項４】
前記アンダーカット成形コアの各分割コアは、それぞれ対応する前記各スライド部材の先端部に一体的に設けられたことを特徴とする請求項１，２または３に記載のアンダーカット処理機構。
【請求項５】
前記アンダーカット成形コアの各分割コアは、それぞれ対応する前記各スライド部材の先端部に別体として着脱可能に組み付けられることを特徴とする請求項１，２または３に記載のアンダーカット処理機構。
【請求項６】
前記各スライド部材を前記成形品の型抜きのストロークに応じた長さに設定することを特徴とする請求項１，２，３，４または５に記載のアンダーカット処理機構。
【請求項７】
前記ホルダー自体を、該ホルダーを設ける前記可動型または前記固定型として構成したことを特徴とする請求項１，２，３，４，５または６に記載のアンダーカット処理機構。
【発明の詳細な説明】
【技術分野】
【０００１】
本発明は、成形品を固定型および可動型によって成形する成形用金型装置において、成形品の型抜き時に該成形品の突出したアンダーカット部を取外し可能な状態とするアンダーカット処理機構に関する。
【背景技術】
【０００２】
従来、この種の成形用金型装置としては、コアを貫通し、その表面に対して傾斜配置された移動可能なルーズコア支持ロッドが、可動側型板と台座プレートとに係止されたガイドロッドに相対的に摺動可能にエジェクタープレートの摺動路に配置されたスライドベースの移動に連動する、ルーズコアエジェクター装置において、ガイドロッドの一端は、可動側型板の下面に形成された凹部に緊密に嵌め込まれたホルダーに係止され、またルーズコア支持ロッドは、ガイドロッドとほぼ同じ傾斜角度でコアに形成された角度設定孔によってのみ傾斜角度が設定されているものが知られている（例えば、特許文献１参照）。
【０００３】
【特許文献１】特開２００２−３２６２３３号公報
【発明の開示】
【発明が解決しようとする課題】
【０００４】
しかしながら、前述したような従来の技術では、ルーズコア支持ロッドのみならず、ガイドロッドも傾斜配置されており、しかも、各々ロッドを同じ傾斜角度で移動させるための機構が、エジェクタープレートと可動側型板とに分散するように構成されているから、成形品のアンダーカット部の型抜きのために必要なアンダーカット部分形状を施した駒の移動量に比べて大きな設置スペースを要し、全体的に構造も複雑となり組み立てに手間と時間がかかり、コストダウンが難しいという問題点があった。
【０００５】
また、アンダーカット部が、成形品の外側ないし内側の一方向だけに型抜きできる形状にしか対応することができず、例えば、成形品の内側に突出するアンダーカット部の上面側が水平方向、かつ下面側が下方向に抜くような形状である場合、従来の技術では型抜きすることが不可能であった。そのため、油圧中子等を上下段に配するか、上段をルーズコアにして下段のみ油圧中子にする等の装置の大幅な改造が必要となり、何れにしても装置全体として大型化を招き、全体的に構造も複雑となり組み立てに手間と時間がかかり、コストアップの原因になるという問題点もあった。
【０００６】
本発明は、前述したような従来の技術が有する問題点に着目してなされたもので、アンダーカット部の下面側と上面側とで逃げ方向が異なるような様々な形状の成形品を容易に型抜きすることが可能となり、しかも、コンパクトに構成することが可能となり省スペース化の要請に応じることができ、金型への加工および組み込みが容易で、構成も簡単であり組み立てに手間と時間がかからないアンダーカット処理機構を提供することを目的としている。
【課題を解決するための手段】
【０００７】
前述した目的を達成するための本発明の要旨とするところは、以下の各項の発明に存する。  
［１］成形品（Ｐ）を固定型（１１）および可動型（１４）によって成形する成形用金型装置（１）において、成形品（Ｐ）の型抜き時に該成形品（Ｐ）の突出したアンダーカット部（Ｐ１）を取外し可能な状態とするアンダーカット処理機構（３０）において、
前記アンダーカット部（Ｐ１）の下面側と上面側とに対応して、前記アンダーカット部（Ｐ１）の下面側を成形する第１分割コア（６１）と、前記アンダーカット部（Ｐ１）の上面側を成形する第２分割コア（６２）とが、互いに上下に重なる状態に配されて成るアンダーカット成形コア（６０）と、
前記アンダーカット成形コア（６０）の上下の分割コア（６１，６２）に対応して、前記第１分割コア（６１）を支持する第１スライド部材（５１）と、前記第１分割コア（６１）より後方に延出する前記第２分割コア（６２）を支持する第２スライド部材（５２）とが、互いに前後に並ぶ状態に配されて成るスライド部材と、
前記固定型（１１）または前記可動型（１４）に対して一体に設けられ、前記各スライド部材（５１，５２）により支持された前記各分割コア（６１，６２）が、それぞれ同一の型抜き方向に移動すると共に、該型抜き方向にそれぞれ異なる角度で交差する前記アンダーカット部（Ｐ１）からの別々の逃げ方向に移動するように、前記各スライド部材（５１，５２）を摺動可能に収納するホルダー（４０）とを有し、
前記ホルダー（４０）に、前記第１スライド部材（５１）を、前記第１分割コア（６１）が前記型抜き方向および前記逃げ方向にそれぞれ同時に移動する第１傾斜方向に沿って案内する第１ガイド手段（４３）を設けると共に、前記第２スライド部材（５２）を、前記第２分割コア（６２）が前記型抜き方向および前記逃げ方向にそれぞれ同時に移動する第２傾斜方向に沿って案内する第２ガイド手段（４４）を設けたことを特徴とするアンダーカット処理機構（３０）。
【０００８】
［２］前記各スライド部材（５１，５２）の摺動に伴って、前記各分割コア（６１，６２）が成形位置から離型位置に移動した際、前記各分割コア（６１，６２）が、前記アンダーカット部（Ｐ１）を間にして互いに上下方向に離隔するように前記逃げ方向を設定したことを特徴とする［１］に記載のアンダーカット処理機構（３０）。
【０００９】
［３］前記各スライド部材（５１，５２）に対応して、型抜き方向に駆動されて突き出し動作するエジェクタピン（２１）を有し、
前記ホルダー（４０）は、前記エジェクタピン（２１）の先端部が移動可能に案内される状態で前記可動型（１４）に一体に設けられ、
前記各スライド部材（５１，５２）は、それぞれの基端部が前記エジェクタピン（２１）の先端部に対して前記逃げ方向に摺動可能に連結され、
前記ホルダー（４０）の内壁および前記第１スライド部材（５１）の外壁の何れか一方に、該第１スライド部材（５１）が移動する前記第１傾斜方向に延びる第１斜溝（４３）を設け、何れか他方に、同じく前記第１傾斜方向に延びて前記第１斜溝（４３）に摺動可能に嵌合する第１斜条（５３）を設け、前記ホルダー（４０）内にある第１斜溝（４３）または第１斜条（５３）を前記第１ガイド手段（４３）とし、
前記ホルダー（４０）の内壁および前記第２スライド部材（５２）の外壁の何れか一方に、該第２スライド部材（５２）が移動する前記第２傾斜方向に延びる第２斜溝（４４）を設け、何れか他方に、同じく前記第２傾斜方向に延びて前記第２斜溝（４４）に摺動可能に嵌合する第２斜条（５４）を設け、前記ホルダー（４０）内にある第２斜溝（４４）または第２斜条（５４）を前記第２ガイド手段（４４）としたことを特徴とする［１］または［２］に記載のアンダーカット処理機構（３０）。
【００１０】
［４］前記アンダーカット成形コア（６０）の各分割コア（６１，６２）は、それぞれ対応する前記各スライド部材（５１，５２）の先端部に一体的に設けられたことを特徴とする［１］，［２］または［３］に記載のアンダーカット処理機構（３０）。
【００１１】
［５］前記アンダーカット成形コア（６０）の各分割コア（６１，６２）は、それぞれ対応する前記各スライド部材（５１，５２）の先端部に別体として着脱可能に組み付けられることを特徴とする［１］，［２］または［３］に記載のアンダーカット処理機構（３０）。
【００１２】
［６］前記各スライド部材（５１，５２）を前記成形品（Ｐ）の型抜きのストロークに応じた長さに設定することを特徴とする［１］，［２］，［３］，［４］または［５］に記載のアンダーカット処理機構（３０）。
【００１３】
［７］前記ホルダー（４０）自体を、該ホルダー（４０）を設ける前記可動型（１４）または前記固定型（１１）として構成したことを特徴とする［１］，［２］，［３］，［４］，［５］または［６］に記載のアンダーカット処理機構（３０）。
【００１４】
前記本発明は次のように作用する。  
前記［１］に記載のアンダーカット処理機構（３０）によれば、アンダーカット成形コア（６０）は、成形品（Ｐ）のアンダーカット部（Ｐ１）の下面側を成形する第１分割コア（６１）と、アンダーカット部（Ｐ１）の上面側を成形する第２分割コア（６２）とが、互いに上下に重なる状態に配されて成る。これらの分割コア（６１，６２）は、それぞれがスライド部材（５１，５２）に支持される。
【００１５】
各分割コア（６１，６２）のうち上側に位置する第２分割コア（６２）は、第１分割コア（６１）より後方に延出しており、この延出した部分を支持する第２スライド部材（５２）は、第１スライド部材（５１）の後方に配される。すなわち、上下に重なる各分割コア（６１，６２）をそれぞれ支持する各スライド部材（５１，５２）は、互いに前後に並ぶ状態に配される。各スライド部材（５１，５２）は、固定型（１１）または可動型（１４）に対して一体に設けられたホルダー（４０）内に、それぞれ摺動可能に収納される。
【００１６】
ここで各スライド部材（５１，５２）は、それぞれ支持する各分割コア（６１，６２）が、同一の型抜き方向に移動すると共に、該型抜き方向に異なる角度で交差するアンダーカット部（Ｐ１）からの別々の逃げ方向に移動するように、ホルダー（４０）内にて摺動可能に収納される。これにより、アンダーカット部（Ｐ１）の下面側と上面側とで逃げ方向が異なるような様々な形状の成形品（Ｐ）を容易に型抜きすることが可能となる。
【００１７】
しかも、成形品（Ｐ）を型抜きする際、ホルダー（４０）にある第１ガイド手段（４３）によって、第１スライド部材（５１）は、第１分割コア（６１）が型抜き方向および逃げ方向にそれぞれ同時に移動する第１傾斜方向に沿って案内される。同様にホルダー（４０）にある第２ガイド手段（４４）によって、第２スライド部材（５２）は、第２分割コア（６２）が型抜き方向および逃げ方向にそれぞれ同時に移動する第２傾斜方向に沿って案内される。従って、各スライド部材（５１，５２）ないし各分割コア（６１，６２）は、成形位置から離型位置に確実に移動する。
【００１８】
以上のようなアンダーカット処理機構（３０）によれば、全体的な構造の簡易化が可能となり、製造コストを大幅に低減することが可能となる。また、前記スライド部材（５１，５２）は、エジェクタ台板（２０）や可動型（１４）に分散させることなく、ホルダー（４０）を介して固定型（１１）または可動型（１４）の何れか一方にのみに集中して配設することができる。これにより、コンパクトに構成することが可能となり、省スペース化の要請に応じることができ、金型への加工および組み込みが容易となる。
【００１９】
前記［２］に記載のアンダーカット処理機構（３０）によれば、各スライド部材（５１，５２）の摺動に伴って、各分割コア（６１，６２）が成形位置から離型位置に移動した際、各分割コア（６１，６２）が、アンダーカット部（Ｐ１）を間にして互いに上下方向に離隔するように前記逃げ方向を設定する。このような構成により、アンダーカット部（Ｐ１）の下面側と上面側とで逃げ方向が大きく異なる形状、例えば、成形品（Ｐ）の内側に突出するアンダーカット部（Ｐ１）の上面側が水平方向、かつ下面側が下方向に抜くような形状も容易に型抜きすることができ、様々な形状のアンターカット部を備えた成形品（Ｐ）に対応することができる。
【００２０】
前記［３］に記載のアンダーカット処理機構（３０）は、成形品（Ｐ）の型抜き時に、型抜き方向に駆動されるエジェクタピン（２１）の突き出し動作に応じて作動する。成形が終わり可動型（１４）から固定型（１１）が離れると、成形品（Ｐ）の外側が現われる。次いでエジェクタピン（２１）が型抜きのために、成形品（Ｐ）を可動型（１４）から離間させるように突き出し動作し、該エジェクタピン（２１）の先端部はホルダー（４０）内を移動する。
【００２１】
各エジェクタピン（２１）の突き出し動作に伴って、一方のエジェクタピン（２１）の先端部に連結されている第１スライド部材（５１）は、ホルダー（４０）に設けられた第１ガイド手段（４３）によって第１傾斜方向に案内され、他方のエジェクタピン（２１）の先端部に連結されている第２スライド部材（５２）は、同じくホルダー（４０）に設けられた第２ガイド手段（４４）によって第２傾斜方向に案内される。これにより、各分割コア（６１，６２）も成形位置から離型位置に確実に移動する。
【００２２】
ここで、ホルダー（４０）の内壁および各スライド部材（５１，５２）の外壁の何れか一方に、前記各傾斜方向に延びる斜溝（４３，４４）を設け、何れか他方に、同じく前記各傾斜方向に延びて前記斜溝（４３，４４）に摺動可能に嵌合する斜条（５３，５４）を設けて、ホルダー（４０）内にある斜溝（４３，４４）または斜条（５３，５４）を、それぞれ前記各ガイド手段とする。
【００２３】
これにより、各スライド部材（５１，５２）の移動は、各スライド部材（５１，５２）自体とホルダー（４０）とに設けられた斜溝（４３，４４）および斜条（５３，５４）の嵌合関係によって確実かつ円滑に案内されると共に、型抜き時における負荷も一箇所に集中することがなく分散されるので、耐久性が高められる。また、設計時における高い精度出しも緩和されるため、さらなるコストダウンが可能となる。
【００２４】
前記［４］に記載のアンダーカット処理機構（３０）によれば、アンダーカット成形コア（６０）の各分割コア（６１，６２）を、それぞれ対応する各スライド部材（５１，５２）の先端部に一体的に設ける。これにより、いっそう構造が簡単となり、コストダウンが可能となる。
【００２５】
前記［５］に記載のアンダーカット処理機構（３０）によれば、アンダーカット成形コア（６０）の各分割コア（６１，６２）を、それぞれ対応する各スライド部材（５１，５２）の先端部に別体として着脱可能に組み付ける。これにより、様々なアンダーカット成形コア（６０）に後から付け替えることが可能となり汎用性が広がる。
【００２６】
前記［６］に記載のアンダーカット処理機構（３０）によれば、各スライド部材（５１，５２）を成形品（Ｐ）の型抜きのストロークに応じた長さに設定する。これにより、成形品（Ｐ）の型抜きにおける大きなストロークから小さなストロークまでに適宜対応することができる。
【００２７】
前記［７］に記載のアンダーカット処理機構（３０）によれば、ホルダー（４０）自体を、該ホルダー（４０）を設ける可動型（１４）または固定型（１１）として構成する。すなわち、金型に直接ホルダー（４０）の内部空間の代わりとなる中空部を形成して、この中空部内に各スライド部材（５１，５２）を、成形位置と離型位置とに摺動可能に収納すれば良い。これにより、ホルダー（４０）部品が不要となって部品点数が削減され、成形用金型装置（１）全体の構成をよりいっそう簡易化することができ、コストを低減することが可能となる。
【発明の効果】
【００２８】
本発明に係るアンダーカット処理機構によれば、アンダーカット部の下面側と上面側とで逃げ方向が異なるような様々な形状の成形品を容易に型抜きすることができる。しかも、コンパクトに構成することが可能となり省スペース化の要請に応じることができ、金型への加工および組み込みが容易で、また構成が簡単であり組み立てに手間と時間がかからず、コストダウンを実現することができる。
【発明を実施するための最良の形態】
【００２９】
以下、図面に基づき本発明を代表する実施の形態を説明する。  
図１〜図３は、本実施の形態に係る成形用金型装置１と、これを構成する金型１０およびアンダーカット処理機構３０の動作を説明するための断面図である。成形用金型装置１は、アンダーカット部Ｐ１のある成形品Ｐを金型１０によって成形する装置である。金型１０は、成形品Ｐの外観部分を成形する固定型１１と、成形品Ｐの内側を成形する可動型１４とから成る。
【００３０】
本実施の形態に係る成形品Ｐは、図１３に示すように、上面部の一端側に側壁部が連なる略Ｌ字形の断面形状の部材であり、側壁部の内側にアンダーカット部Ｐ１が突出している。このアンダーカット部Ｐ１は、上面側が水平方向に型抜きできる水平面をなしているが、下面側は先端縁に向かって下方に傾く傾斜面をなしており、下方向しか型抜きできない形状となっている。また、成形品Ｐの側壁部の下端縁Ｐ２は内側に湾曲している。なお、成形品Ｐの材料は、プラスチック等の合成樹脂のみならず鉄等の金属も該当する。
【００３１】
図１に示すように、固定型１１は、その主要部である固定型板１２と、これを固定する固定取付板１３とから成る。一方、可動型１４は、その主要部である可動型板１５と、該可動型板１５の下方にスペーサブロック１６を介して固定される可動取付板１７とから成る。可動型板１５と可動取付板１７との間には、エジェクタ台板２０が上下移動可能に配設されている。
【００３２】
エジェクタ台板２０上には、２本のエジェクタピン２１が互いに前後に並ぶ状態で平行に立設されている。各エジェクタピン２１は丸棒部材から形成されており、それぞれ基端部がノックピンを介してエジェクタ台板２０に固定されている。各エジェクタピン２１の先端部は、後述するホルダー４０内に摺動可能に挿通している。エジェクタピン２１は、エジェクタ台板２０の上下移動に伴って型抜き方向に駆動される。なお、可動型板１５には、各エジェクタピン２１が自由に貫通するための縦孔が穿設されている。
【００３３】
本願発明の根幹を成すアンダーカット処理機構３０は、型抜き方向となる上下方向に駆動されて突き出し動作する前記各エジェクタピン２１と、各エジェクタピン２１の先端部が摺動可能に案内されるホルダー４０と、各エジェクタピン２１の先端部にそれぞれ連結され、ホルダー４０内に移動可能に配される第１スライド部材５１、第２スライド部材５２と、各スライド部材５１，５２の先端部に設けられたアンダーカット成形コア６０とを有する。
【００３４】
図１〜図３に示すように、ホルダー４０は箱状部材から成り、該ホルダー４０は、前後に並ぶ状態で平行に配された各スライド部材５１，５２が、それぞれ成形位置（図１参照。）と離型位置（図３参照。）とに摺動可能な内部空間を有する。ホルダー４０は、可動型１４内に一体に収納された状態に設けられている。
【００３５】
図１２に示すように、ホルダー４０の内部空間は、隔壁４０ａによって前後に仕切られており、前側に位置する前内部空間４１には、前側に位置する第１スライド部材５１が収納され、後側に位置する後内部空間４２には、後側に位置する第２スライド部材５２が収納される。なお、前内部空間４１の開口端は、後内部空間４２の開口端よりも低い位置に設定されている。
【００３６】
図１および図１２に示すように、ホルダー４０の前内部空間４１の内壁面には、成形品Ｐの型抜き時に第１スライド部材５１を成形位置から離型位置に向けて、型抜き方向（図１中で上方向）、および該型抜き方向に交差するアンダーカット部Ｐ１の下面側からの逃げ方向に、それぞれ同時に移動する第１傾斜方向に沿って案内する第１ガイド手段である第１斜溝４３が両側に凹設されている。
【００３７】
後述する第１スライド部材５１の両側縁には、前記第１斜溝４３に摺動可能に嵌合する第１斜条５３が凸設されている。ここで第１斜溝４３は、ホルダー４０と第１スライド部材５１との何れに設けても良く、何れか他方に第１斜条５３を設けることになる。要するに、第１スライド部材５１が型抜き動作時に前記第１傾斜方向に移動可能に案内されれば良い。なお、ホルダー４０における前内部空間４１の開口端は、第１スライド部材５１が貫通して前記第１傾斜方向に移動可能に案内される断面形状となっている。
【００３８】
同様に、ホルダー４０の後内部空間４２の内壁面には、成形品Ｐの型抜き時に第２スライド部材５２を成形位置から離型位置に向けて、型抜き方向（図１中で上方向）、および該型抜き方向に交差するアンダーカット部Ｐ１の上面側からの逃げ方向に、それぞれ同時に移動する第２傾斜方向に沿って案内する第２ガイド手段である第２斜溝４４が両側に凹設されている。
【００３９】
ここで第２スライド部材５２の逃げ方向は、前記第１スライド部材５１の逃げ方向とは異なる角度で型抜き方向に交差するように設定されている。詳しく言えば、第２スライド部材５２の逃げ方向は、型抜き方向（図１中で上方向）に対して直角に交差する方向（図１中で水平方向）である。一方、第１スライド部材５１の逃げ方向は、型抜き方向（図１中で上方向）に対して下方に傾斜する方向（図１中で後方（紙面右側）下に向かって傾斜する方向）となっている。
【００４０】
後述する第２スライド部材５２の両側縁には、前記第２斜溝４４に摺動可能に嵌合する第２斜条５４が凸設されている。ここで第２斜溝４４は、ホルダー４０と第２スライド部材５２との何れに設けても良く、何れか他方に第２斜条５４を設けることになる。要するに、第２スライド部材５２が型抜き動作時に前記第２傾斜方向に移動可能に案内されれば良い。なお、ホルダー４０における後内部空間４２の開口端も、第２スライド部材５２が貫通して前記第２傾斜方向に移動可能に案内される断面形状となっている。
【００４１】
図６〜図１１に示すように、各スライド部材５１，５２は、図示した駒形部材から形成されており、各エジェクタピン２１の先端部に対して、前記型抜き方向とそれぞれ異なる角度で交差する別々の逃げ方向に摺動可能に基端部が連結されている。各エジェクタピン２１の先端部には、ホルダー４０内で型抜き方向に摺動可能に配される保持駒部２２，２４が設けられている。一方、各スライド部材５１，５２の基端部には、前記保持駒部２２，２４に対して、それぞれ別々の逃げ方向に摺動可能に連結される逃げ動作駒部５５，５６が設けられている。なお、第１スライド部材５１は、第２スライド部材５２よりも全長が短く設定されている。
【００４２】
図８および図９に示すように、第１スライド部材５１に対応する保持駒部２２は、エジェクタピン２１の軸方向（図中で上方向）に対して下方に傾斜する逃げ方向に延びる凸条として、エジェクタピン２１の先端部に設けられている。一方、第１スライド部材５１の逃げ動作駒部５５は、保持駒部２２に沿って移動可能に嵌合する蟻溝として形成されている。保持駒部２２と逃げ動作駒部５５とは、互いに押し引き可能に連結されており、エジェクタピン２１の突き出し動作に伴って、第１スライド部材５１が前記第１傾斜方向に移動するように設定されている。
【００４３】
図１０および図１１に示すように、第２スライド部材５２に対応する保持駒部２４は、エジェクタピン２１の軸方向（図中で上方向）に対して直角な逃げ方向に延びる凸条として、エジェクタピン２１の先端部に設けられている。一方、第２スライド部材５２の逃げ動作駒部５６は、保持駒部２４に沿って移動可能に嵌合する蟻溝として形成されている。保持駒部２４と逃げ動作駒部５６とは、互いに押し引き可能に連結されており、エジェクタピン２１の突き出し動作に伴って、第２スライド部材５２が前記第２傾斜方向に移動するように設定されている。
【００４４】
図６および図７に示すように、各スライド部材５１，５２の先端部には、アンダーカット成形コア６０が支持されている。アンダーカット成形コア６０は、成形品Ｐのアンダーカット部Ｐ１の下面側と上面側とに対応して、アンダーカット部Ｐ１の下面側を成形する第１分割コア６１と、アンダーカット部Ｐ１の上面側を成形する第２分割コア６２とが、互いに上下に重なる状態で平行に配されて成る。
【００４５】
上側に位置する第２分割コア６２は、第１分割コア６１より後方に延出しており、この延出した部分を支持する第２スライド部材５２は、第１スライド部材５１の後方に配される。すなわち、上下に重なる各分割コア６１，６２をそれぞれ支持する各スライド部材５１，５２は、互いに前後に並ぶ状態に配される。なお、第１分割コア６１は、アンダーカット部Ｐ１の下面側のみならず、該アンダーカット部Ｐ１より下方に位置する成形品Ｐの内面側を成形し、第２分割コア６２は、アンダーカット部Ｐ１の上面側のみならず、該アンダーカット部Ｐ１より上方に位置する成形品Ｐの内面側を成形するものである。
【００４６】
第１分割コア６１は、前記第１スライド部材５１の先端部に支持されており、該第１スライド部材５１の移動と共にアンダーカット部Ｐ１の下面側から型抜き可能な前述した第１傾斜方向に案内される。また、第２分割コア６２は、前記第２スライド部材５２の先端部に支持されており、該第２スライド部材５２の移動と共にアンダーカット部Ｐ１の上面側から型抜き可能な前述した第２傾斜方向に案内される。なお、各分割コア６１，６２は、それぞれ各スライド部材５１，５２の先端部に別体として着脱可能に組み付けられているが、各スライド部材５１，５２の先端部に一体的に設けても良い。
【００４７】
次に、本実施の形態の作用を説明する。  
図１は、成形用金型装置１により成形品Ｐの成形が終了した状態を示している。図２に示すように、成形が終了して固定型１１が可動型１４から離れると、成形品Ｐの外側（外観部分）が可動型板１５上に露出する。次いで、図３に示すように、エジェクタ台板２０が上方に駆動されると、該エジェクタ台板２０上に立設されている各エジェクタピン２１が、可動型板１５にある縦孔を貫通した状態で型抜き方向（上方）に真っ直ぐに突き出し動作する。
【００４８】
図６および図７に示すように、各エジェクタピン２１の先端部には、それぞれ可動型１４内で型抜き方向に摺動可能に配される保持駒部２２，２４があり、各スライド部材５１，５２の基端部には、前記保持駒部２２，２４に対して逃げ方向に摺動可能に連結される逃げ動作駒部５５，５６があるので、各エジェクタピン２１の先端部と各スライド部材５１，５２の基端部とを、互いに押し引き可能な状態で相対的に変位するよう確実に連結することができる。
【００４９】
各エジェクタピン２１の突き出し動作による型抜き方向（上方）への移動に伴って、ホルダー４０内では、各エジェクタピン２１に前記保持駒部２２，２４を介して支持されている各スライド部材５１，５２が、それぞれ同一の型抜き方向に移動すると共に、該型抜き方向にそれぞれ異なる角度で交差するアンダーカット部Ｐ１からの別々の逃げ方向にも同時に移動する。
【００５０】
詳しく言えば、第１スライド部材５１は、その第１斜条５３がホルダー４０内の第１ガイド手段である第１斜溝４３に摺動しつつ、型抜き方向およびアンダーカット部Ｐ１の下面側からの逃げ方向に、それぞれ同時に移動する第１傾斜方向に案内される。また、第２スライド部材５２は、その第２斜条５４がホルダー４０内の第２ガイド手段である第２斜溝４４に摺動しつつ、型抜き方向およびアンダーカット部Ｐ１の上面側からの逃げ方向に、それぞれ同時に移動する第２傾斜方向に案内される。
【００５１】
ガイド手段を成すホルダー４０内の斜溝４３，４４と、各スライド部材５１，５２における斜条５３，５４との嵌合関係によれば、各スライド部材５１，５２を確実かつ円滑にそれぞれ傾斜方向に案内することができる。しかも、成形品Ｐの型抜き時における負荷も一箇所に集中することがなく分散されるので、耐久性が高められる。また、設計時における高い精度出しも緩和されるため、さらなるコストダウンが可能となる。
【００５２】
そして、各スライド部材５１，５２が、それぞれ互いに異なる前記傾斜方向に移動することにより、各スライド部材５１，５２に支持されているアンダーカット成形コア６０は、成形位置から離型位置に移動する。すなわち、図３に示すように、第１スライド部材５１に支持された第１分割コア６１は、アンダーカット部Ｐ１の下面側から離脱し、第２スライド部材５２に支持された第２分割コア６２は、アンダーカット部Ｐ１の上面側から離脱する。これにより、成形品Ｐのアンダーカット部Ｐ１が取外し可能な状態となり、成形品Ｐを型抜きすることができる。
【００５３】
このような構成によれば、アンダーカット部Ｐ１の下面側と上面側とで逃げ方向が異なるような様々な形状の成形品Ｐを容易に型抜きすることが可能となる。特に、各分割コア６１，６２が成形位置から離型位置に移動した際、各分割コア６１，６２は、アンダーカット部Ｐ１を間にして互いに上下方向に離隔する。これにより、アンダーカット部Ｐ１の下面側と上面側とで逃げ方向が大きく異なる形状、例えば本実施の形態のように、成形品Ｐの内側に突出するアンダーカット部Ｐ１の上面側が水平方向、かつ下面側が下方向に抜くような形状も容易に型抜きすることができる。
【００５４】
また、各スライド部材５１，５２を、エジェクタ台板２０や可動型１４に分散させることなく、ホルダー４０を介して可動型１４のみに集中して配設することができる。従って、成形用金型装置１全体をコンパクトに構成することが可能となり、省スペース化の要請にも応じることができ、金型１０への加工および組み込みが容易となる。特に、アンダーカット処理機構３０は、予めホルダー４０に組み込んだ形でユニットとして構成することができる。これにより、ホルダー４０を介して可動型１４内に容易に後付けすることができる。
【００５５】
図３において、成形品Ｐが抜き去られると、各エジェクタピン２１が成形時の位置に戻るに従い、各エジェクタピン２１に引かれて各スライド部材５１，５２や各分割コア６１，６２も初期位置に戻る。また、固定型１１も成形位置に戻って、次の成形品Ｐが成形されることになる。ところで、各スライド部材５１，５２を、成形品Ｐの型抜きのストロークに応じた長さに設定することにより、成形品Ｐの型抜きにおける大きなストロークから小さなストロークまでに適宜対応することができる。
【００５６】
なお、本発明の実施の形態を図面によって説明してきたが、具体的な構成は前述した実施の形態に限られるものではなく、本発明の要旨を逸脱しない範囲における変更や追加があっても本発明に含まれる。例えば、成形品Ｐや各分割コア６１，６２の形状は、具体的に図示したものに限定されるわけではない。
【００５７】
また、前記実施の形態では、ホルダー４０を可動型１４に対して一体に設けたが、可動型１４ではなく固定型１１に一体に設けるように構成しても良い。さらに、スライド部材５１，５２とホルダー４０とが摺接し合う部位、特に斜溝４３，４４の内面等を窒化処理することにより、摩擦係数を低減することが可能となり、さらに円滑に動作させることができる。
【００５８】
また、前記実施の形態では、各分割コア６１，６２を、各スライド部材５１，５２の先端部に別体として着脱可能に組み付けたことにより、様々な分割コア６１，６２に後から付け替えることが可能となり汎用性が広がる。一方、各分割コア６１，６２を、各スライド部材５１，５２の先端部に一体的に設けるように構成しても良い。これにより、いっそう構造が簡単となり、コストダウンが可能となる。
【００５９】
また、前記実施の形態では、ホルダー４０内に、各スライド部材５１，５２の斜条５３，５４に嵌合する斜溝４３，４４を設けることで、各スライド部材５１，５２を傾斜方向に案内するガイド手段としたが、他に例えば、ホルダー４０の端面部に、各スライド部材５１，５２が貫通して傾斜した状態で移動可能に案内されるガイド孔を穿設してガイド手段としたり、あるいは、ホルダー４０の内部に、各スライド部材５１，５２の外周全体を摺動可能に案内する溝を設けてガイド手段としても良い。
【００６０】
さらに、前記実施の形態では、ホルダー４０を、可動型１４（または固定型１１）とは別体に構成して後から一体に組み付けているが、ホルダー４０自体を、可動型１４（または固定型１１）として構成しても良い。すなわち、金型１０に直接ホルダー４０の内部空間の代わりとなる中空部を形成して、この中空部内に各スライド部材５１，５２等を、成形位置と離型位置とに摺動可能に収納すれば良い。これにより、ホルダー４０に関する部品点数が削減され、成形用金型装置１全体の構成をよりいっそう簡易化することができ、コストを低減することが可能となる。
【図面の簡単な説明】
【００６１】
【図１】本発明の実施の形態に係る成形用金型装置およびアンダーカット処理機構の成形時における動作を説明する断面図である。
【図２】本発明の実施の形態に係る成形用金型装置およびアンダーカット処理機構の固定型分離時における動作を説明する断面図である。
【図３】本発明の実施の形態に係る成形用金型装置およびアンダーカット処理機構のエジェクタピン突出終了時における動作を説明する断面図である。
【図４】本発明の実施の形態に係るアンダーカット処理機構のスライド部材および分割コアが成形位置にある状態を示す斜視図である。
【図５】本発明の実施の形態に係るアンダーカット処理機構のスライド部材および分割コアが離型位置にある状態を示す斜視図である。
【図６】本発明の実施の形態に係るアンダーカット処理機構の各スライド部材と各エジェクタピンとの連結関係を示す斜視図である。
【図７】本発明の実施の形態に係るアンダーカット処理機構の各スライド部材と各エジェクタピンとの連結関係を示す斜視図である。
【図８】本発明の実施の形態に係るアンダーカット処理機構の第１スライド部材とエジェクタピンとの連結関係を示す斜視図である。
【図９】本発明の実施の形態に係るアンダーカット処理機構の第１スライド部材とエジェクタピンとの連結関係を示す斜視図である。
【図１０】本発明の実施の形態に係るアンダーカット処理機構の第２スライド部材とエジェクタピンとの連結関係を示す斜視図である。
【図１１】本発明の実施の形態に係るアンダーカット処理機構の第２スライド部材とエジェクタピンとの連結関係を示す斜視図である。
【図１２】本発明の実施の形態に係るアンダーカット処理機構のホルダーを示す斜視図である。
【図１３】本発明の実施の形態に係るアンダーカット処理機構で型抜きする成形品を示す斜視図である。
【符号の説明】
【００６２】
Ｐ…成形品
Ｐ１…アンダーカット部
１…成形用金型装置
１０…金型
１１…固定型
１２…固定型板
１３…固定取付板
１４…可動型
１５…可動型板
１６…スペーサブロック
１７…可動取付板
２０…エジェクタ台板
２１…エジェクタピン
２２，２４…保持駒部
３０…アンダーカット処理機構
４０…ホルダー
４０ａ…隔壁
４１…前内部空間
４２…後内部空間
４３…第１斜溝
４４…第２斜溝
５１…第１スライド部材
５２…第２スライド部材
５３…第１斜条
５４…第２斜条
５５，５６…逃げ動作駒部
６０…アンダーカット成形コア
６１…第１分割コア
６２…第２分割コア
【要約】
【課題】アンダーカット部の下面側と上面側とで逃げ方向が異なるような様々な形状の成形品を容易に型抜きすることができるアンダーカット処理機構を提供する。
【解決手段】アンダーカット成形コア６０を成す上下に重なる各分割コア６１，６２は、それぞれ前後に平行に配された各スライド部材５１，５２によって支持される。各スライド部材５１，５２は、それぞれ支持する各分割コア６１，６２が、同一の型抜き方向に移動すると共に、該型抜き方向に異なる角度で交差する別々の逃げ方向に移動するように、可動型１４に組み込まれたホルダー４０に収納される。ホルダー４０には、各スライド部材５１，５２を成形位置から離型位置に向けて傾斜方向に案内するためのガイド手段として斜溝４３，４４を設けた。
【選択図】図１【図１】
0004096067.tif 000002
【図２】
0004096067.tif 000003
【図３】
0004096067.tif 000004
【図４】
0004096067.tif 000005
【図５】
0004096067.tif 000006
【図６】
0004096067.tif 000007
【図７】
0004096067.tif 000008
【図８】
0004096067.tif 000009
【図９】
0004096067.tif 000010
【図１０】
0004096067.tif 000011
【図１１】
0004096067.tif 000012
【図１２】
0004096067.tif 000013
【図１３】
0004096067.tif 000014